(57)【要約】【目的】撮影後に被写体像の一部を切り出した場合であっても，画質の良い画像を得る。【構成】被写体を撮影するときに，分割測光を行う（ステップ21）。被写体像を表す画像データと分割測光値とを分割測光領域に対応してメモリ・カードに記録する（ステップ27）。再生時には，画像データをメモリ・カードから読み出して被写体像を表示する。表示された画像の中から一部の画像をトリミングする。トリミングした画像に対応する分割測光値を用いて，トリミング画像の明るさが適切となるように，補正される。【選択図】図２
2007068212.tif 000002
【特許請求の範囲】
【請求項１】
異なる撮影条件で同一の被写体を撮影することにより得られた複数駒分の画像データが記録されている記録媒体から特定の１駒分の画像データを読み出す読み出し手段，
上記読み出し手段によって読み出された画像データにより表される被写体像を表示画面上に表示するように表示装置を制御する表示制御手段，
上記表示画面上に表示されている被写体像のうち所望の画像範囲を指定する指定手段，
上記指定手段により指定された範囲内の画像について，上記複数駒分の被写体像のうち最も適正な画像を表す画像データを検索する検索手段，ならびに
上記検索手段により見つけられた画像データを出力する画像データ出力手段，
を備えた画像出力装置。
【請求項２】
上記異なる撮影条件が露光量である，請求項１に記載の画像出力装置。
【請求項３】
上記異なる撮影条件が焦点距離である，請求項１に記載の画像出力装置。
【請求項４】
上記の最も適正な画像を表わすデータを検索する手段が，指定された範囲内の画像について，最も適切な明るさを持つ駒の画像を選択するものである，請求項２に記載の画像出力装置。
【請求項５】
選択された駒の画像の明るさを調整する明るさ調整手段をさらに備えている，請求項４に記載の画像出力装置。
【請求項６】
上記の最も適正な画像を表わすデータを検索する手段が，指定された範囲内の画像について，最も適切な大きさを持つ駒の画像を選択するものである，請求項３に記載の画像出力装置。
【請求項７】
選択された駒の画像の上記指定された範囲内の画像を拡大する手段をさらに備えた請求項６に記載の画像出力装置。
【請求項８】
異なる撮影条件で同一の被写体を撮影することにより得られた複数駒分の画像データが記録されている記録媒体から特定の１駒分の画像データを読み出し，
読み出された画像データにより表される被写体像を表示画面上に表示し，
上記表示画面上に表示されている被写体像のうち所望の画像範囲を指定し，
指定された範囲内の画像について，上記複数駒分の被写体像のうち最も適正な画像を表す画像データを検索し，
検索により見つけられた画像データを出力する，
画像出力装置の制御方法。
【発明の詳細な説明】
【技術分野】
【０００１】
この発明は，画像出力装置およびその制御方法に関する。
【背景技術】
【０００２】
撮影によって得られる被写体像は，撮影領域内の一部が明るい場合や暗い場合であっても，それらの明るい部分または暗い部分を基準にして撮影すると全体が暗すぎたり，明るすぎたりするために，ディジタル・カメラでは平均的な明るさが好ましいレベルになるように露光量が調整されている。したがって，撮影後に被写体像の一部を切り出すと，切り出した画像は暗かったり明るかったりすることがある。
【０００３】
また，被写体を撮影する場合は，撮像領域内の主被写体が所望の大きさとなるようにピントが合わせられる。再生時に，主被写体像を拡大する場合には，主被写体像について電子ズーム処理が行なわれる。電子ズームは画素補間により実現しているので，電子ズームされた画像の画質はあまりよくないことが多い。
【０００４】
いずれにしても，撮影後に被写体像の一部を切り出すと切出された部分の明るさが適正でない，切出された部分の主な被写体の大きさが適正でなく電子ズームの必要があるなど画質が劣化していることが多い。
【発明の開示】
【０００５】
この発明は，撮影後に被写体像の一部を切り出した場合であっても画質の良い部分画像を得ることを目的とする。
【０００６】
第１の発明によるディジタル・カメラは，撮像領域を複数の区画に分けることにより得られる分割区画ごとに測光し，測光値を検出する測光手段，被写体を撮像し，被写体像を表す画像データを出力する撮像手段，上記測光手段により検出された測光値にもとづいて，上記撮像手段における露光量を制御する露光制御手段，および上記撮像手段から出力された画像データと，上記測光手段により出力された分割領域ごとの測光値を表すデータとを互いに関連づけて記録媒体に記録する記録制御手段を備えていることを特徴とする。
【０００７】
第１の発明は，上記カメラに適した制御方法も提供している。すなわち，この方法は，撮像領域を複数の区画に分けることにより得られる分割区画ごとに測光し，測光値を得，得られた測光値にもとづいて，上記撮像手段における露光量で被写体を撮像し，被写体像を表す画像データを得，得られた画像データと，検出された分割領域ごとの測光値を表すデータとを互いに関連づけて記録媒体に記録するものである。
【０００８】
このようにして記録媒体に記録された画像データおよび測光値データとを読み出して再生するためのものが第２の発明である。
【０００９】
第２の発明による画像出力装置は，被写体像を表す画像データと，撮像領域を複数の区画に分けて分割区画ごとに測光して得られる測光値を表すデータとが互いに関連づけられて記録されている記録媒体から上記画像データおよび上記測光データとを読み取る読み取り手段，上記読み取り手段によって読み取られた画像データにより表される被写体像を表示画面上に表示するように表示装置を制御する表示制御手段，上記表示画面上に表示されている被写体像のうち所望の画像の範囲を指定する指定手段，上記指定手段により指定された範囲内の画像に対応する上記測光データにもとづいて，指定された範囲内の画像の明るさを調整する手段，ならびに明るさが調整された画像データを出力する画像データ出力手段を備えていることを特徴とする。
【００１０】
第２の発明は，上記装置に適した方法も提供している。すなわち，この方法は，被写体像を表す画像データと，撮像領域を複数の区画に分けて分割区画ごとに測光して得られる測光値を表すデータとが互いに関連づけられて記録されている記録媒体から上記画像データおよび上記測光データとを読み取り，読み取られた画像データにより表される被写体像を表示画面上に表示し，上記表示画面上に表示されている被写体像のうち所望の画像の範囲を指定し，指定された範囲内の画像に対応する上記測光データにもとづいて，指定された範囲内の画像の明るさを調整し，明るさが調整された画像データを出力するものである。
【００１１】
上記記録媒体には，明るさの異なる複数駒の被写体像を表す画像データと分割区画ごとに測光して得られる測光値を表すデータとが記録されている。上記記録媒体から所望の上記画像データが読みだされ，表示画面に表示される。表示画面上に表示されている被写体像から所望の範囲が指定される。
【００１２】
指定された範囲内に対応する上記測光データにもとづいて，指定された領域内の画像の明るさが補正（調整）される。明るさの調整された画像を表す画像データが出力される。前もって測光データが作成され記憶されているので明るさの調整が容易である。このようにして明るさが適正でない部分を切出してもその部分は適正な明るさを持つようになる。
【００１３】
第３の発明による画像出力装置は，異なる撮影条件で同一の被写体を撮影することにより得られた複数駒分の画像データが記録されている記録媒体から特定の１駒分の画像データを読み出す読み出し手段，上記読み出し手段によって読み出された画像データにより表される被写体像を表示画面上に表示するように表示装置を制御する表示制御手段，上記表示画面上に表示されている被写体像のうち所望の画像範囲を指定する指定手段，上記指定手段により指定された範囲内の画像について，上記複数駒分の被写体像のうち最も適正な画像を表す画像データを検索する検索手段，ならびに上記検索手段により見つけられた画像データを出力する画像データ出力手段を備えていることを特徴とする。
【００１４】
第３の発明は，上記装置に適した方法も提供している。すなわち，この方法は，異なる撮影条件で同一の被写体を撮影することにより得られた複数駒分の画像データが記録されている記録媒体から特定の１駒分の画像データを読み出し，読み出された画像データにより表される被写体像を表示画面上に表示し，上記表示画面上に表示されている被写体像のうち所望の画像範囲を指定し，指定された範囲内の画像について，上記複数駒分の被写体像のうち最も適正な画像を表す画像データを検索し，検索により見つけられた画像データを出力するものである。
【００１５】
一実施態様では，撮影条件は異なる露光条件下で被写体が複数回撮影されるような露光量である。異なる明るさをもつ複数駒の画像データが得られ，記録媒体に記録される。この場合上記検索手段は，上記指定手段によって指定された範囲内の画像について最も適切な明るさをもつ画像データを選択する。
【００１６】
他の実施態様では，撮影条件は焦点距離である。たとえばディジタル・カメラから被写体までの距離またはズーム倍率が変えられて，異なる焦点距離で被写体が複数回撮影される。異なる大きさをもつ被写体像を表わす複数駒の画像データが得られ，記録媒体に記録される。この場合上記検索手段は，上記指定手段によって指定された範囲内の画像について最も適切な大きさをもつ画像データを選択する。
【００１７】
上記記録媒体には，ほぼ同一の主被写体像であって，大きさの異なる複数駒の主被写体像を表す画像データが記録されている。上記記録媒体から所望の上記画像データが読みだされ，表示画面に表示される。表示画面上に表示されている被写体像から所望の領域が指定される。
【００１８】
指定された領域内の画像について明るさまたは大きさが良好な画像を表す画像データが検索される。検索により見つかった画像データが出力される。
【００１９】
第３の発明によると，指定された領域について主被写体の明るさまたは大きさが良好な画像を表す１駒の画像データが出力される。画像の拡大や輝度調整をしなくともほぼ満足できる画像（大きさ，明るさにおいて）が得られる。
【００２０】
好ましい実施態様では，選択された画像の明るさを調整する明るさ調整手段をさらに備える。良好な画質となるように出力画像の調整量が小さくされる。
【００２１】
さらに好ましい実施態様では，選択された駒の画像の上記指定された範囲内の画像を拡大する手段を備える。良好な画質となるように出力画像の拡大量が小さくされる。電子ズーム（拡大）処理が行なわれるときには，一般的に画質は低下する。しかしながら拡大量は少ないので，良好な画質が維持される。
【実施例】
【００２２】
図１は，この発明の実施例を示すもので，ディジタル・スチル・カメラの電気的構成を示すブロック図である。
【００２３】
ディジタル・スチル・カメラは，ズーム撮影が可能なものであり，ズーム・レンズ２が設けられている。このズーム・レンズ２のズーム量は，ＣＰＵ５によって制御される。
【００２４】
ＣＰＵ５は，ＡＥ（自動露出調整），色温度調整，ガンマ補正およびデータ圧縮の各機能を有している。
【００２５】
ディジタル・スチル・カメラには，絞り１も設けられており，ＡＥにもとづいて絞り１が制御される。
【００２６】
シャッタ・レリーズ・ボタン10は，２段ストローク・タイプのもので，第１段階の押し下げで，絞り制御が行われ，第２段階の押し下げで被写体像を表わす画像データが記録される。シャッタ・レリーズ・ボタン10の押し下げを示す信号は，ＣＰＵ５に入力する。
【００２７】
ディジタル・スチル・カメラには，操作スイッチ８が設けられている。この操作スイッチにより撮影モードの設定，再生モードの設定ならびにズーム量およびズーム領域の設定ができる。操作スイッチ８からの設定を示す信号は，ＣＰＵ５に入力する。
【００２８】
ＣＰＵ５には，動作プログラムが格納されているＲＯＭ９が外付けされている。
【００２９】
また，ディジタル・スチル・カメラには，分割測光が可能な測光素子６が設けられている。分割測光により，撮影領域を複数に分割したときに分割領域ごとの測光値が得られる。測光値を示す信号は，ＣＰＵ５に入力する。もちろん，測光素子６を設けずとも，後述するように撮影により得られる画像データから分割測光値を算出するようにしてもよいのはいうまでもない。
【００３０】
操作スイッチ８により撮影モードが設定されると，ズーム・レンズ２により被写体像を表す光像がＣＣＤ３の受光面に結像する。ＣＣＤ３から被写体像を表す信号が出力され，アナログ／ディジタル変換回路４に入力する。アナログ／ディジタル変換回路４により，入力したアナログ映像信号がディジタル画像データに変換される。ディジタル画像データは，ＣＰＵ５に入力する。
【００３１】
ディジタル画像データは，ＣＰＵ５から表示制御回路11を介して液晶表示装置12に与えられる。表示制御回路11により，撮影によって得られた被写体像が液晶表示装置12の表示画面上に表示される。
【００３２】
図２は，被写体像を表す画像データの記録時の処理手順を示すフローチャートである。図３は，被写体像（基準画像）の一例を示している。図４は，メモリ・カードに記録される画像ファイルの構造を示している。
【００３３】
シャッタ・レリーズ・ボタン10の第１段階の押し下げがあると（ステップ20でＹＥＳ），測光素子６により分割測光が行われる。分割測光は，図３に示すように，撮影領域を横方向に６つの領域に分け，縦方向に５つの領域に分けて，合計30の領域で行われる（領域ａ１からａ30）。それぞれの領域ごとの分割測光値を示すデータがＣＰＵ５に入力する。分割測光値を示すデータは，ＲＡＭ７に与えられ，一時的に記憶される（ステップ21）。
【００３４】
ＣＰＵ５において，分割測光値が一駒分積算される。積算値にもとづいて，たとえば被写体像全体が所定の明るさとなるように，露出が決定される（ステップ22）。露光量は他の公知方法によっても決定することができる。決定した露出にもとづいて，絞り１がＣＰＵ５によって制御される。
【００３５】
シャッタ・レリーズ・ボタン10の第２段階の押し下げがあると（ステップ23でＹＥＳ），被写体像を表す画像データは，ＣＰＵ５からＲＡＭ７に与えられ，一時的に記憶される（ステップ24）。
【００３６】
画像データは，ＲＡＭ７から読みだされ，ＣＰＵ５に入力する。ＣＰＵ５において，画像データについて色温度調整，ガンマ補正およびデータ圧縮の所定のデータ処理が行われる（ステップ25）。
【００３７】
ＲＡＭ７に一時的に記憶されている分割測光データが読みだされ，分割測光データとデータ圧縮された画像データとから，図４に示すような画像ファイルが作成される（ステップ26）。作成された画像ファイルがメモリ・カード13に記録される（ステップ27）。
【００３８】
図４を参照して，画像ファイルには，ヘッダおよびデータ記録領域が形成されている。
【００３９】
ヘッダには，ファイル名，撮影日，撮影時刻ならびにシャッタ速度および絞り値を表すデータが記録される。
【００４０】
データ記録領域には，測光値記録領域および画像データ記録領域が形成されている。
【００４１】
測光値記録領域に，被写体像の分割区画ａ１〜ａ30に対応して分割測光データ（ＥＶ値）が記録される。また，画像データ記録領域に圧縮された画像データが記録される。
【００４２】
図５は，ディジタル・プリンタの電気的構成を示すブロック図である。
【００４３】
ディジタル・プリンタの全体の動作は，ＣＰＵ30によって統括される。
【００４４】
ＣＰＵ30には，動作プログラムが格納されているＲＯＭ36が外付けされている。
【００４５】
ディジタル・プリンタは，電子ズームを行う機能を有している。このために電子ズーム処理回路34がＣＰＵ30に接続されている。
【００４６】
ディジタル・プリンタには，操作スイッチ35が設けられており，この操作スイッチ35により，画像表示，印刷，ズーム量および位置の指令を与えることができる。操作スイッチ35からの指令を示す信号は，ＣＰＵ30に入力する。
【００４７】
さらに，ＣＰＵ30には，レベル調整のためのゲイン制御回路32が設けられている。
【００４８】
図６は，ディジタル・プリンタを用いた再生の処理手順を示すフローチャートである。図７は，基準画像の一部をトリミングした画像の一例を示している。
【００４９】
上述した画像ファイル（図４参照）が記録されたメモリ・カード13がディジタル・プリンタに装着されると，メモリ・カード13から画像ファイルが読み取られる（ステップ51）。画像ファイルは，インターフェイス31およびＣＰＵ30を介してＲＡＭ33に与えられ，一時的に記憶される。
【００５０】
ＲＡＭ33に記憶された画像ファイルは，読み出され，ＣＰＵ30に入力する。ＣＰＵ30において，画像ファイルに格納されている圧縮画像データが抽出される。圧縮画像データは，ＣＰＵ30においてデータ伸長される。データ伸長された画像データが画像表示制御回路37に与えられ，モニタ表示装置38の表示画面上に画像データによって表される被写体像（基準画像，図３参照）が表示される（ステップ52）。
【００５１】
基準画像のうちの一部の画像を表示または印刷する場合には，操作スイッチ35を用いてトリミングが行われる（ステップ53）。表示画面上において，図３に示すように基準画像の中からトリミングする範囲が指定される（図３においては，トリミング領域が鎖線Ｃｌによって示されている）。
【００５２】
トリミングされると，そのトリミング領域内の画像（トリミング画像）について行われる明るさ調整をオートとするかマニュアルとするかが判断される（ステップ54）。オートかマニュアルかの判断は，操作スイッチ35から与えられる指令にもとづいて行われることとなろう。
【００５３】
明るさ調整がオートで行われるのであれば，トリミング画像の明るさが検出され，その明るさについてのヒストグラムがＣＰＵ30において作成される（ステップ56）。基準画像の一部をトリミングした場合，基準画像全体としては，適正な明るさであってもトリミング画像としては適正な明るさではない場合がある。このようにトリミング画像が適正な明るさでない場合には，補正が必要となる。そのためにトリミング画像について補正が必要かどうかが判断される（ステップ57）。
【００５４】
補正が必要であれば（ステップ57でＹＥＳ），トリミング画像が基準画像のどの分割測光領域に該当するのかが求められる（ステップ58）。例えば，トリミング画像を図３の基準画像の鎖線Ｃｌによって示す領域の画像とすると，トリミング画像は，基準画像の分割測光領域ａ13，ａ14，ａ15，ａ16，ａ17，ａ19，ａ20，ａ21，ａ22，ａ23，ａ25，ａ26，ａ27，ａ28およびａ29に該当すると判断される。
【００５５】
求められた分割測光領域の測光値を示すデータが，ＲＡＭ33に記憶されている画像ファイルから読み出される。読み出された分割測光データにもとづいてトリミング画像の明るさが適正な明るさとなるようにＣＰＵ30によって制御される（ステップ59）。基準画像に対してトリミングされた領域の画像が明るすぎたり暗すぎたりしてもトリミング画像は，比較的適正な明るさの画像となる。
【００５６】
トリミング画像を表す画像データは，電子ズーム処理回路34に与えられ，電子ズーム処理が行われる。電子ズーム処理された画像データが表示制御回路37に与えられることにより，モニタ表示装置38の表示画面には，図７に示すように電子ズーム処理されたトリミングが表示されることとなる（ステップ60）。
【００５７】
また，電子ズーム処理された画像データは，バッファＲＡＭ39に与えられ，一時的に記憶される。画像データは，バッファＲＡＭ39から読み出され，印画装置40に与えられる。紙搬送装置41によってプリント用紙が搬送されながら，印画装置40によってトリミング画像が印刷される（ステップ61）。比較的適正な明るさのトリミング画像が印刷されることとなる。
【００５８】
また，ユーザがマニュアルで明るさ調整を行う場合には（ステップ54），トリミング画像をモニタ表示装置38の表示画面上に表示しながら，操作スイッチ35を用いて明るさ補正指令が与えられる。トリミング画像を表す画像データは，ゲイン制御回路32に与えられ，明るさ補正指令に応じてレベルが調整される。ユーザがマニュアルにより明るさ調整を行うこととなる（ステップ55）。また，必要であれば，ユーザによってマニュアルでトリミング画像のコントラスト調整，色調整などが行われる。コントラスト調整処理，色調整処理などは，ＣＰＵ30によって実現されることとなろう。
【００５９】
図８（Ａ）から図11は，他の実施例を示すものである。
【００６０】
この実施例においては，同一の被写体が異なる露出で撮影されることにより，３駒の画像が得られる。具体的には，３回の撮影において異なる露出となるようにディジタル・スチル・カメラの絞り１が制御される。
【００６１】
一駒目の被写体像は，図８（Ａ）に示すように標準露出の被写体像（測光値にもとづいて適正な明るさとなるような露出）よりも１ＥＶ少ない露出で撮影されることにより得られたものである（ファイル名ff001b0.jpg ）。図８（Ａ）においては，標準露出よりも少ない露出であることを示すようにハッチングで表現されている。図８（Ａ）に示す被写体像を表す画像データは，図９（Ａ）に示す画像ファイルの画像データ記録領域に格納される。
【００６２】
図９（Ａ）に示す画像ファイルは，ヘッダにファイル名，撮影日，撮影時刻ならびにシャッタ速度および絞り値を表すデータのほかに標準露出の被写体像の露出に比べてどの位露出が異なって撮影されたかを示すデータが格納されている。
【００６３】
二駒目の被写体像は，図８（Ｂ）に示すように標準露出で撮影されることにより得られたものである（ファイル名ff001b1.jpg ）。図８（Ｂ）においては，標準露出であることを示すように図８（Ａ）に示す画像のハッチングよりも間隔のあいたハッチングで表現されている。図８（Ｂ）に示す被写体像を表す画像データは，図９（Ｂ）に示す画像ファイルの画像データ記録領域に格納される。
【００６４】
図９（Ｂ）に示す画像ファイルにおいても，ヘッダにファイル名，撮影日，撮影時刻ならびにシャッタ速度および絞り値を表すデータのほかに標準露出の被写体像の露出に比べてどの位露出が異なって撮影されたかを示すデータが格納されている。
【００６５】
三駒目の被写体像は，図８（Ｃ）に示すように標準露出の被写体像よりも１ＥＶ多い露出で撮影されることにより得られたものである（ファイル名ff001b2.jpg ）。図８（Ｃ）においては，標準露出よりも多い露出であることを示すようにハッチングは表現されていない。図８（Ｃ）に示す被写体像を表す画像データは，図９（Ｃ）に示す画像ファイルの画像データ記録領域に格納される。
【００６６】
図９（Ｃ）に示す画像ファイルにおいても，ヘッダにファイル名，撮影日，撮影時刻ならびにシャッタ速度および絞り値を表すデータのほかに標準露出の被写体像の露出に比べてどの位露出が異なって撮影されたかを示すデータが格納されている。
【００６７】
このような露出の異なる３つの同一被写体像を表す３つの画像ファイルが互いに関連づけられてメモリ・カード13に記録される。
【００６８】
図10は，画像ファイルの他の例を示すものである。
【００６９】
一つの画像ファイルの画像データ記録領域に，露出の異なる３つのほぼ同一の被写体像を表す画像データが格納されている。ヘッダには，画像データ記録領域に記録されている画像データによって表される画像が標準露出よりも１ＥＶ少ない露出で撮影されたことを示すデータ，標準露出と同じ露出で撮影されたことを示すデータおよび標準露出よりも１ＥＶ多い露出で撮影されたことを示すデータが，対応する画像データに関連づけられて記録されている。
【００７０】
このように露出の異なる３つの同一被写体像を表す３つの画像ファイルをメモリ・カード13に記録せずとも１つの画像ファイルに露出の異なる画像を表す画像データをメモリ・カード13に記録するようにしてもよい。
【００７１】
図11は，露出の異なる３つの同一被写体像を表す画像ファイル（１つの画像ファイルでも３つの画像ファイルでもよい）を，図５に示すディジタル・プリンタを用いて再生するときの処理手順を示すフローチャートである。この図において，図６に示す処理と同一の処理については同一の符号を付す。
【００７２】
メモリ・カード13から標準画像（標準露光の画像）を表す画像データが読み取られる（ステップ71）。読み取られた標準画像データは，ＣＰＵ30を介してＲＡＭ33に一時的に記憶される。標準画像データは，ＲＡＭ33から読み出され表示制御回路37に与えられ，標準画像がモニタ表示装置38の表示画面上に表示される（ステップ72）。ユーザは，表示されている標準画像を見ながら，トリミングを行う（ステップ73）。明るさ調整をマニュアルで行うかオートで行うかが判断される（ステップ74）。
【００７３】
オートで行う場合には，トリミング画像の明るさがＣＰＵ30によって検出される。検出値にもとづいて，トリミング画像が適正な明るさとなるのに必要な補正量が算出される（ステップ76）。この実施例では分割測光値は画像ファイルには記憶されていないので，トリミング画像の画像データによって表わされる平均明るさレベルが算出され，この算出値とあらかじめ定められた適正な明るさのレベルとが比較され，その差が補正量となる。分割測光値が記憶されている場合には，分割測光値を用いることができる。
【００７４】
補正が必要であれば（ステップ77でＹＥＳ），メモリ・カード13に記録されている複数駒の画像のうち，補正の程度が少なくて済むような画像（トリミング画像に対応する範囲の画像の平均明るさレベルが，適正な明るさのレベルに最も近い画像）が，算出された補正量にもとづいて選択される（ステップ78）。選択された画像を表す画像データがメモリ・カード13から読み取られ，ＲＡＭ33に一時的に記憶される。選択された画像が標準画像であれば，標準画像を表す画像データは，すでにＲＡＭ33に記憶されているので，改めてメモリ・カード13から読み出されることはない。もっとも，標準画像データを改めてメモリ・カード13から読み出してもよいのはいうまでもない。
【００７５】
選択された画像のうち，トリミング画像に対応する範囲の画像を表わす画像データがＲＡＭ33から読み出され，ゲイン制御回路32に入力する。ゲイン制御回路32において，算出された補正量にもとづいて，または，読出された範囲の画像データの平均的な明るさに基づいて，選択された画像のトリミング画像に対応する範囲の画像が適正な明るさとなるように，画像データのレベルが微調整される（ステップ79）。
【００７６】
レベルが微調整された画像データが表示制御回路37に与えられ，明るさの適正な画像がモニタ表示装置38の表示画面上に表示されることとなる（ステップ60）。その後印刷が行われる（ステップ61）。
【００７７】
異なる露出の３駒の画像の中から補正の程度が少なくて済む画像を選択し，選択した画像について明るさが微調整される。補正量が少なくなるので，得られる画質が向上することとなる。
【００７８】
マニュアルで明るさ調整を行うときには（ステップ74），露出の異なる３つの画像データがメモリ・カード13から読み出され，表示制御回路37に与えられる。モニタ表示装置38の表示画面上の異なる箇所に，露出の異なる３つの画像が表示されることとなる。ユーザは，これらの３つの画像の中から所望の明るさの画像を選択する。選択した画像について操作スイッチ35から明るさ調整指令が入力される。
【００７９】
ユーザによって選択された画像を表す画像データがゲイン制御回路32に与えられ，ユーザから与えられた明るさ調整指令に応じて画像データのレベルがマニュアルで調整されることとなる（ステップ75）。
【００８０】
図12（Ａ）から図14は，さらに他の実施例を示すものである。
【００８１】
図12（Ａ）から（Ｃ）は，被写体像の一例を示している。図13は，画像ファイルの構造を示している。
【００８２】
この実施例においては，ほぼ同一の主被写体について，３駒の被写体像が異なる焦点距離（距離を変えてまたはズーム倍率を変えて）で撮影される。したがって主被写体像の大きさが異なる駒の被写体像が得られる。
【００８３】
一駒目の被写体像（短焦点画像）は，図12（Ａ）に示すように標準の焦点よりも短焦点で撮影することにより得られたものである。したがって，標準画像（図12（Ｂ）に示す画像）よりも主被写体像の大きさが小さい。図12（Ａ）に示す被写体像を表す画像データは，図13に示す画像データ記録領域に記録される。
【００８４】
画像ファイルには，ヘッダ記録領域と画像データ記録領域とが形成されている。
【００８５】
ヘッダには，ファイル名，撮影日，撮影日時（図13に示す例では，１つの撮影日時が記録されているが，３駒に対応して３つの撮影日時を記録してもよい）ならびにシャッタ速度および絞り値のほかに，画像データ記録領域に記録されている画像データが，どのような焦点距離により得られたものかを示す焦点距離情報が記録されている。
【００８６】
二駒目の被写体像（標準画像）は，図12（Ｂ）に示すように標準の焦点によって撮影することにより得られたものである。標準的な大きさをもつ主被写体像ＯＢが得られる。図12（Ｂ）に示す被写体像を表す画像データも，図13に示す画像データ記録領域に記録される。
【００８７】
三駒目の被写体像（長焦点画像）は，図12（Ｃ）に示すように標準の焦点よりも長焦点によって撮影することにより得られたものである。したがって，標準の主被写体像ＯＢよりも大きい主被写体像ＯＣが得られる。図12（Ｃ）に示す被写体像を表す画像データも，図13に示す画像データ記録領域に記録される。
【００８８】
このような焦点距離の異なる（画像の大きさの異なる）ほぼ同一の主被写体像ＯＡ，ＯＢおよびＯＣについて３つの画像を表す画像データがメモリ・カード13に記録される。
【００８９】
図14は，ほぼ同一の主被写体について画像の大きさの異なる３つの画像を表す画像データが記録されているメモリ・カードを，図５に示すディジタル・プリンタを用いて再生するときの処理手順を示すフローチャートである。この図において，図11に示す処理と同一の処理については同一符号を付す。
【００９０】
メモリ・カード13から短焦点画像データ（主被写体像が標準画像のそれよりも小さい画像データ）が読み出され，表示制御回路37に与えられる（ステップ71）。モニタ表示装置38の表示画面上には，短焦点画像が表示される（ステップ72）。ユーザによってトリミングが行われ（ステップ73），トリミング画像について行うズーム調整をオートとするかマニュアルとするかが判断される（ステップ80）。
【００９１】
オートでズーム調整が行われる場合には，トリミング画像の大きさと１駒の画像の大きさに基づいて，トリミング画像が１駒の画像の大きさになるように，トリミング画像を拡大するための変倍率が算出される（ステップ82）。短焦点画像以外の画像を用いて電子ズーム処理をした方が良いかどうかが判断される。すなわち，画像を差し替えて電子ズーム処理をした方が良いかどうかが判断される（ステップ83）。短焦点画像（の主被写体）の大きさと標準画像（の主被写体）の大きさとの第１の比率，短焦点画像（の主被写体）の大きさと長焦点画像（の主被写体）の大きさとの第２の比率はあらかじめ定められている。上記の算出した変倍率が１に近ければ短焦点画像が用いられる。算出した変倍率が第１または第２の比率に近ければ，標準画像または長焦点画像が選択される（ステップ84）。選択された画像を表す画像データのうちトリミング画像に対応する範囲の画像データがメモリ・カード13から読み出されＲＡＭ33に一時的に記憶される。画像データは，ＲＡＭ33から電子ズーム処理回路34に与えられる。電子ズーム処理回路37において，読出された画像データの画像が１駒の大きさとなるように電子ズーム処理による画像の大きさの微調整が行われる（ステップ85）。短焦点画像が用いられた場合も，必要に応じて電子ズーム処理が行なわれる。
【００９２】
微調整された画像データが表示制御装置37に与えられることにより，図７に示すように，電子ズーム後の画像がモニタ表示装置38の表示画面上に表示される（ステップ60）。その後，ズームされた画像が印刷される（ステップ61）。
【００９３】
ズーム調整をマニュアルで行う場合には（ステップ80），メモリ・カード13に記録されている大きさの異なる３駒の画像を表す画像データが読み出される。読み出された画像データは，表示制御回路37に与えられる。モニタ表示装置38の表示画面上に大きさの異なる３駒の画像が表示される。ユーザは，大きさの異なる３駒の画像の中から，所望の大きさの主被写体像がある画像を選択する（ステップ81）。その後，必要であれば，操作スイッチ35により大きさ調整指令が与えられる。大きさ調整指令に応じて，電子ズーム処理回路34において，電子ズーム処理が行われることとなる。
【図面の簡単な説明】
【００９４】
【図１】ディジタル・スチル・カメラの電気的構成を示すブロック図である。
【図２】画像データの記録時処理手順を示すフローチャートである。
【図３】基準画像の一例である。
【図４】画像ファイルの構造を示している。
【図５】ディジタル・プリンタの電気的構成を示すブロック図である。
【図６】画像の再生時の処理手順を示すフローチャートである。
【図７】トリミング画像の一例を示している。
【図８】（Ａ）から（Ｃ）は，被写体像の一例を示している。
【図９】（Ａ）から（Ｃ）は，画像ファイルの構造を示している。
【図１０】画像ファイルの構造を示している。
【図１１】画像の再生時の処理手順を示すフローチャートである。
【図１２】（Ａ）から（Ｃ）は，被写体像の一例を示している。
【図１３】画像ファイルのファイル構造を示している。
【図１４】画像の再生時の処理手順を示すフローチャートである。
【符号の説明】
【００９５】
１  絞り
２  ズーム・レンズ
３  ＣＣＤ
５，30  ＣＰＵ
６  測光素子
７，33  ＲＡＭ
８，15  操作スイッチ
９，36  ＲＯＭ
11，37  表示制御回路
32  ゲイン制御回路
34  電子ズーム処理回路
40  印画装置
【図１】
2007068212.tif 000003
【図２】
2007068212.tif 000004
【図３】
2007068212.tif 000005
【図４】
2007068212.tif 000006
【図５】
2007068212.tif 000007
【図６】
2007068212.tif 000008
【図７】
2007068212.tif 000009
【図８】
2007068212.tif 000010
【図９】
2007068212.tif 000011
【図１０】
2007068212.tif 000012
【図１１】
2007068212.tif 000013
【図１２】
2007068212.tif 000014
【図１３】
2007068212.tif 000015
【図１４】
2007068212.tif 000016